(57)【要約】【課題】美観が損なわれることとコストが増大することとを回避しつつ、直流電流によって動作する負荷機器に安全に電力の供給を行う。【解決手段】給電ケーブルと、交流電流を直流電流に変換し、変換された直流電流を給電ケーブルに出力することにより、当該給電ケーブルの一端に接続された負荷機器に電力の供給を行う直流電源アダプタ装置とを有する直流給電システムであって、給電ケーブルの他端には、予め決められた複数の電圧値のいずれかを選択できるように構成された差込プラグが設けられ、直流電源アダプタ装置は、差込プラグが挿入される差込口を有し、差込口に挿入された差込プラグに応じて選択した電圧値で、変換された直流電流を当該差込プラグが設けられた給電ケーブルに出力する。【選択図】図１
2011166935.tif 000002
【特許請求の範囲】
【請求項１】
給電ケーブルと、交流電流を直流電流に変換し、該変換された直流電流を前記給電ケーブルに出力することにより、当該給電ケーブルの一端に接続された負荷機器に電力の供給を行う直流電源アダプタ装置とを有する直流給電システムであって、
前記給電ケーブルの他端には、予め決められた複数の電圧値のいずれかを選択できるように構成された差込プラグが設けられ、
前記直流電源アダプタ装置は、前記差込プラグが挿入される差込口を有し、該差込口に挿入された前記差込プラグに応じて選択した電圧値で、前記変換された直流電流を当該差込プラグが設けられた前記給電ケーブルに出力する直流給電システム。
【請求項２】
請求項１に記載の直流給電システムにおいて、
前記差込プラグは、前記複数の電圧値のいずれかに対応付けられた形状を有しており、
前記直流電源アダプタ装置は、
前記挿入された前記差込プラグの形状に基づいて、前記複数の電圧値のいずれかを選択する電圧値選択部と、
前記電圧値選択部にて選択された電圧値で、前記変換された直流電流を当該差込プラグが設けられた前記給電ケーブルに出力する直流電流出力部と、を有する直流給電システム。
【請求項３】
請求項２に記載の直流給電システムにおいて、
前記差込プラグには、前記複数の電圧値のいずれかに対応付けられた位置に第１の突起が設けられ、
前記電圧値選択部は、前記複数の電圧値のそれぞれに対応して設けられ、当接することによってＯＮ／ＯＦＦが切り替わる複数のスイッチを備え、
前記直流電流出力部は、前記複数のスイッチのうち、前記挿入された前記差込プラグの第１の突起が当接したスイッチに対応する電圧値で、前記変換された直流電流を当該差込プラグが設けられた前記給電ケーブルに出力する直流給電システム。
【請求項４】
請求項３に記載の直流給電システムにおいて、
前記差込プラグの第１の突起は、当該差込プラグが前記差込口に所定の深さまで挿入されて回転されることによって前記スイッチと当接し、
前記差込プラグには、当該差込プラグが前記所定の深さまで挿入された場合にのみ、当該差込プラグが回転可能とするの第２の突起が設けられた直流給電システム。
【請求項５】
交流電流を直流電流に変換し、予め決められた複数の電圧値のいずれかを選択できるように構成された差込プラグが一端に設けられた給電ケーブルに、前記変換された直流電流を出力することにより、当該給電ケーブルの他端に接続された負荷機器に電力の供給を行う直流電源アダプタ装置であって、
前記差込プラグが挿入される差込口を備え、該差込口に挿入された前記差込プラグに応じて選択した電圧値で、前記変換された直流電流を当該差込プラグが設けられた前記給電ケーブルに出力する直流電源アダプタ装置。
【発明の詳細な説明】
【技術分野】
【０００１】
本発明は、交流電流を直流電流に変換し、変換された直流電流によって負荷機器に電力の供給を行う直流給電システム及び直流電源アダプタ装置に関する。
【背景技術】
【０００２】
通常、直流電流によって動作する負荷機器へ電力の供給を行う場合、商用電源からの交流電流を、その負荷機器に専用のＡＣ（Ａｌｔｅｒｎａｔｉｎｇ  Ｃｕｒｒｅｎｔ）アダプタによって直流電流に変換し、変換された直流電流により、その負荷機器に電力の供給を行うのが一般的である。
【０００３】
この場合、負荷機器の数が増えると、その分だけＡＣアダプタの数も増え、美観を損ねてしまう。また、ＡＣアダプタの数が増えることにより、コストが増大してしまう。
【０００４】
ここで、ＡＣアダプタの数が増えてしまうのを回避することを可能とする技術が例えば、非特許文献１に開示されている。
【０００５】
非特許文献１に開示されている技術では、ＤＣ（Ｄｉｒｅｃｔ  Ｃｕｒｒｅｎｔ）１２Ｖ入力のマルチコンバータを用い、ユーザのスイッチ操作により、出力される直流電流の電圧値を切り替える。これにより、正常に動作する電圧値が相互に異なる複数の負荷機器へ電力の供給を行うことが可能となる。
【０００６】
しかし、上述した非特許文献１に開示されているマルチコンバータを利用した場合、ユーザがスイッチ操作を誤ってしまうと、マルチコンバータに接続された負荷機器が正常に動作する電圧値以外の電圧値の直流電流によって電力の供給が行われてしまう。この場合、負荷機器の故障等が引き起こされる可能性がある。
【０００７】
そこで、ユーザがスイッチ操作をすることなく、直流電流を複数の電圧値で選択的に供給することができる技術が求められ、それを可能にする技術が例えば特許文献１に開示されている。
【０００８】
特許文献１に開示されている技術では、電子装置の電源情報等が刻み込まれた電源情報ユニットを電源アダプタに挿入する。そして、電源アダプタは、挿入された電源情報ユニットが示す電圧値の直流電流により、当該電源アダプタに接続された電子機器に電力の供給を行う。
【先行技術文献】
【特許文献】
【０００９】
【特許文献１】特開平８−１８２１９１号公報
【非特許文献】
【００１０】
【非特許文献１】http://www.fdh.co.jp/product/lineup.html（マルチコンバータの製品一覧）
【発明の概要】
【発明が解決しようとする課題】
【００１１】
上述した特許文献１の技術を用いれば、負荷機器の数と同じ数だけのＡＣアダプタを準備する必要がなくなる。従って、美観が損なわれるのを回避することが可能となるとともに、コストが増大することを回避することが可能となる。
【００１２】
その一方で、特許文献１に開示されている技術を用いた場合でも、接続しようとしている負荷機器に対応しない電源情報ユニットを電源アダプタに挿入してしまうと、やはり、負荷機器の故障等が引き起こされてしまう。
【００１３】
本発明は、美観が損なわれることとコストが増大することとを回避しつつ、直流電流によって動作する負荷機器に安全に電力の供給を行える直流給電システム及び直流電源アダプタ装置を提供することを目的とする。
【課題を解決するための手段】
【００１４】
上記目的を達成するために本発明の直流給電システムは、給電ケーブルと、交流電流を直流電流に変換し、該変換された直流電流を前記給電ケーブルに出力することにより、当該給電ケーブルの一端に接続された負荷機器に電力の供給を行う直流電源アダプタ装置とを有する直流給電システムであって、
前記給電ケーブルの他端には、予め決められた複数の電圧値のいずれかを選択できるように構成された差込プラグが設けられ、
前記直流電源アダプタ装置は、前記差込プラグが挿入される差込口を有し、該差込口に挿入された前記差込プラグに応じて選択した電圧値で、前記変換された直流電流を当該差込プラグが設けられた前記給電ケーブルに出力する直流給電システム。
【００１５】
また、上記目的を達成するために本発明の直流電源アダプタ装置は、交流電流を直流電流に変換し、予め決められた複数の電圧値のいずれかを選択できるように構成された差込プラグが一端に設けられた給電ケーブルに、前記変換された直流電流を出力することにより、当該給電ケーブルの他端に接続された負荷機器に電力の供給を行う直流電源アダプタ装置であって、
前記差込プラグが挿入される差込口を備え、該差込口に挿入された前記差込プラグに応じて選択した電圧値で、前記変換された直流電流を当該差込プラグが設けられた前記給電ケーブルに出力する直流電源アダプタ装置。
【発明の効果】
【００１６】
本発明の直流電源アダプタ装置は、交流電流を直流電流に変換し、変換された直流電流を給電ケーブルに出力することにより、当該給電ケーブルの一端に接続された負荷機器に電力の供給を行う。
【００１７】
このとき、給電ケーブルの他端には、予め決められた複数の電圧値のいずれかを選択できるように構成された差込プラグが設けられている。
【００１８】
そして、本発明の直流電源アダプタ装置は、直流電源アダプタ装置は、差込プラグが挿入される差込口を有し、差込口に挿入された差込プラグに応じて選択した電圧値で、変換された直流電流を当該差込プラグが設けられた給電ケーブルに出力する。
【００１９】
これにより、負荷機器の数と同じ数だけのＡＣアダプタを準備する必要がなくなる。また、差込プラグにより、負荷機器が正常に動作する電圧値が自動的に決定され、決定された電圧値の直流電流によって電力の供給が行われる。
【００２０】
従って、美観が損なわれることとコストが増大することとを回避しつつ、直流電流によって動作する負荷機器に安全に電力の供給を行える。
【図面の簡単な説明】
【００２１】
【図１】本発明の直流給電システムを適用した給電システムの実施の一形態の構成を示す図である。
【図２】図１に示した直流電源アダプタ装置の構成の一例を示すブロック図である。
【図３】図１及び図２に示した直流電源アダプタ装置が、負荷機器へ直流電流によって電力の供給を行う場合の動作の一例を説明するための図であり、（ａ）は差込口に挿入された差込プラグを横から見たところを示す側面図、（ｂ）は（ａ）に示したＡ−Ａ'断面図、（ｃ）は差込口の形状の一例を正面から見たところを示す正面図である。
【発明を実施するための形態】
【００２２】
以下に、本発明の実施の形態について図面を参照して説明する。
【００２３】
図１は、本発明の直流給電システムを適用した給電システムの実施の一形態の構成を示す図である。
【００２４】
本発明の給電システムは図１に示すように、直流電源アダプタ装置１０と、直流電流によって動作する負荷機器２０−１，２０−２と、直流電源アダプタ装置１０に交流１００Ｖの電力の供給を行う商用電源３０とを備えている。ここでは、負荷機器の数を２つとしているが、負荷機器の数は２つに限定されるものではない。
【００２５】
直流電源アダプタ装置１０は、商用電源３０からの交流電流を直流電流に変換する。そして、一端が負荷機器２０−１，２０−２に接続された給電ケーブル６０に、変換された直流電流を出力することにより、負荷機器２０−１，２０−２に電力の供給を行う。従って、直流電源アダプタ装置１０と給電ケーブル６０とは、直流電流によって電力の供給を行う直流給電システムを構成することとなる。
【００２６】
ここで、図１に示すように、給電ケーブル６０の他端には、差込プラグ５０−１，５０−２が設けられている。例えば、差込プラグ５０−１が、直流電源アダプタ装置１０が備える差込口１１−１〜１１−３のいずれかに挿入されることにより、差込プラグ５０−１が設けられた給電ケーブル６０に直流電流が出力される。これにより、負荷機器２０−１に直流電流による電力の供給が行われる。なお、差込口の数は３つに限定されるものではない。
【００２７】
図２は、図１に示した直流電源アダプタ装置１０の構成の一例を示すブロック図である。
【００２８】
図１に示した直流電源アダプタ装置１０は図２に示すように、ＡＣ／ＤＣコンバータ１２と、電圧値選択部１３−１〜１３−３と、挿入された差込プラグが設けられた給電ケーブル６０に直流電流を出力する直流電流出力部１４−１〜１４−３とを備えている。
【００２９】
また、図２に示すように、電圧値選択部１３−１と直流電流出力部１４−１とが接続され、電圧値選択部１３−２と直流電流出力部１４−２とが接続され、電圧値選択部１３−３と直流電流出力部１４−３とが接続されている。
【００３０】
また、電圧値選択部１３−１及び直流電流出力部１４−１は差込口１１−１に対応しており、直流電流出力部１４−１は、差込口１１−１に挿入された差込プラグが設けられた給電ケーブル６０に直流電流を出力する。同様に、電圧値選択部１３−２及び直流電流出力部１４−２は差込口１１−２に対応し、電圧値選択部１３−３及び直流電流出力部１４−３は差込口１１−３に対応している。
【００３１】
ＡＣ／ＤＣコンバータ１２は、商用電源３０からの交流電流を直流電流に変換し、変換された直流電流を直流電流出力部１４−１〜１４−３へ出力する。
【００３２】
電圧値選択部１３−１〜１３−３には、スライドすることによってＯＮの状態とＯＦＦの状態とが切り替わる複数のスイッチ（不図示）が設けられている。また、電圧値選択部１３−１〜１３−３は、予め決められた複数の電圧値のそれぞれと、複数のスイッチのそれぞれと対応付けて記憶している。電圧値選択部１３−１〜１３−３は、複数のスイッチのうち、差込口１１−１〜１１−３に挿入された差込プラグ５０の形状に応じてＯＮの状態にスライドされたスイッチを検知する。そして、検知されたスイッチに対応する電圧値を示す電圧値情報を、当該電圧値選択部と接続された直流電流出力部へ出力する。なお、電圧値選択部１３−１〜１３−３が備える複数のスイッチの構成と、差込プラグ５０の形状との詳細については後述する。
【００３３】
直流電流出力部１４−１〜１４−３は、ＡＣ／ＤＣコンバータ１２から出力された直流電流を受け付ける。また、直流電流出力部１４−１〜１４−３は、差込口１１−１〜１１−３に差込プラグ５０−１または差込プラグ５０−２が挿入された場合、挿入された差込プラグと接続される。また、直流電流出力部１４−１〜１４−３は、当該直流電流出力部と接続された電圧値選択部から出力された電圧値情報を受け付ける。そして、直流電流出力部１４−１〜１４−３は、対応する差込口に挿入された差込プラグが設けられた給電ケーブル６０に、受け付けた電圧値情報が示す電圧値で、ＡＣ／ＤＣコンバータ１２から受け付けた直流電流を出力する。
【００３４】
以下に、上記のように構成された給電システムにおいて、直流電源アダプタ装置１０が負荷機器２０−１へ直流電流によって電力の供給を行う場合の動作について説明する。
【００３５】
図３は、図１及び図２に示した直流電源アダプタ装置１０が、負荷機器２０−１へ直流電流によって電力の供給を行う場合の動作の一例を説明するための図であり、（ａ）は差込口１１−１に挿入された差込プラグ５０−１を横から見たところを示す側面図、（ｂ）は（ａ）に示したＡ−Ａ'断面図、（ｃ）は差込口１１−１の形状の一例を正面から見たところを示す正面図である。
【００３６】
図２に示した電圧値選択部１３−１は図３（ａ）に示すように、上述した複数のスイッチとしてスイッチ１３１〜１３３が設けられている。スイッチ１３１〜１３３のそれぞれは、スライドすることによってＯＮの状態とＯＦＦの状態とが切り替わる。
【００３７】
また、図１に示した差込プラグ５０−１には図３（ａ）に示すように、鍵状の突起である第１の突起５１−１及び第２の突起５１−２が設けられている。なお、差込プラグ５０−２も同様の構成である。
【００３８】
第１の突起５１−１は、スイッチ１３１〜１３３のいずれかを、ＯＮの状態にスライドさせるための突起である。差込プラグ５０−１において第１の突起５１−１が設けられる位置は、電圧値選択部１３−１〜１３−３に記憶された複数の電圧値のいずれかに対応付けられている。
【００３９】
第２の突起５１−２は、差込プラグ５０−１の差込口１１−１への挿入が不十分な場合、差込プラグ５０−１を回転させること（ひねり）ができないようにする浅挿し防止用の突起である。つまり、差込プラグ５０−１が所定の深さまで挿入された場合にのみ、差込プラグ５０−１が回転可能となる。
【００４０】
また、図３（ｃ）において円形で示した部分には、差込プラグ５０−１の第１の突起５１−１及び第２の突起５２−２を除く部分が挿入される。また、円形の部分の上の長方形で示した部分は、鍵穴形状のスリットであり、これにより、差込口１１−１に差込プラグ５０−１を正しい向きで挿入できるようにしている。なお、差込口１１−２，１１−３も同様の形状である。
【００４１】
差込口１１−１に正しく挿入された差込プラグ５０−１は、第１の突起５１−１がスイッチ１３１〜１３３のいずれかをＯＮの状態にスライドさせることが可能な位置にくる。図３（ｂ）では一例として、第１の突起５１−１がスイッチ１３１をＯＮの状態にスライドさせる場合を示している。
【００４２】
具体的には図３（ｂ）の左側の図のように、スイッチ１３１に設けられた凹部に第１の突起５１−１の先端部分がはめ込まれるようになっている。つまり、第１の突起５１−１が設けられる位置を、差込プラグ５０−１が挿入される方向で移動させることにより、第１の突起５１−１の先端部分がはめ込まれるスイッチを、スイッチ１３２やスイッチ１３３に変更することができる。
【００４３】
そして、差込プラグ５０−１が図中左方向に回転されると、図３（ｂ）の右側の図に示すように、第１の突起５１−１がスイッチ１３１に当接することにより、スイッチ１３１がスライドし、スイッチ１３１がＯＮの状態となる。
【００４４】
このとき、電圧値選択部１３−１は、スイッチ１３１〜１３３のうち、スイッチ１３１がＯＮの状態になったことを検知し、スイッチ１３１と対応する電圧値を示す電圧値情報を直流電流出力部１４−１へ出力する。
【００４５】
そして、直流電流出力部１４−１は、電圧値選択部１３−１から出力された電圧値情報を受け付けると、差込プラグ５０−１が設けられた給電ケーブル６０に、受け付けた電圧値情報が示す電圧値で、ＡＣ／ＤＣコンバータ１２から受け付けた直流電流を出力する。
【００４６】
差込プラグ５０−１を引き抜く場合には、図３（ｂ）の図中右方向（挿入したときに回転させた方向と反対方向）に差込プラグ５０−１を回転させることによって引き抜くことができる。差込プラグ５０−１をこの方向に回転させると、給電ケーブル６０への直流電流の出力が停止される。
【００４７】
なお、ここでは、スイッチの数を３つとしているため、負荷機器に供給することが可能な電力の電圧値は３種類となる。但し、スイッチの数を増やし、それに応じて差込プラグの形状の種類を増やすことにより、負荷機器に供給することが可能な電力の電圧値の種類も増やすことができる。
【００４８】
このように本実施形態においては、直流電源アダプタ装置１０は、交流電流を直流電流に変換し、変換された直流電流を給電ケーブル６０に出力することにより、給電ケーブル６０の一端に接続された負荷機器に電力の供給を行う。
【００４９】
このとき、給電ケーブル６０の他端には、予め決められた複数の電圧値のいずれかを選択できるように構成された差込プラグが設けられている。
【００５０】
そして、直流電源アダプタ装置１０は、差込プラグが挿入される差込口１１−１〜１１−３を有し、差込口１１−１〜１１−３に挿入された差込プラグに応じて選択した電圧値で、変換された直流電流を当該差込プラグが設けられた給電ケーブル６０に出力する。
【００５１】
これにより、負荷機器の数と同じ数だけのＡＣアダプタを準備する必要がなくなる。また、差込プラグにより、負荷機器が正常に動作する電圧値が自動的に決定され、決定された電圧値の直流電流によって電力の供給が行われる。
【００５２】
従って、美観が損なわれることとコストが増大することとを回避しつつ、直流電流によって動作する負荷機器に安全に電力の供給を行える。
【００５３】
なお、本実施形態においては、スイッチ１３１〜１３３は、スライドすることによってＯＮの状態とＯＦＦの状態とが切り替わるように構成され、第１の突起５１−１が当接することによってスライドされたスイッチが選択されていた。このような構成ではなく、当接されるだけでＯＮの状態とＯＦＦの状態とが切り替わるように、スイッチ１３１〜１３３を構成し、第１の突起５１−１に当接されたスイッチが選択されるようにしてもよい。
【符号の説明】
【００５４】
１０    直流電源アダプタ装置
１１−１〜１１−３    差込口
１２    ＡＣ／ＤＣコンバータ
１３−１〜１３−３    電圧値選択部
１４−１〜１４−３    直流電流出力部
２０−１，２０−２    負荷機器
３０    商用電源
５０−１，５０−２    差込プラグ
５１−１    第１の突起
５１−２    第２の突起
６０    給電ケーブル
１３１〜１３３    スイッチ
【図１】
2011166935.tif 000003
【図２】
2011166935.tif 000004
【図３】
2011166935.tif 000005